(57)【要約】【課題】複数の花や草木を組み合わせ、苗から育てて開花させようとした場合には、開花状態における意匠を優れたものとすることは一般の人には非常に困難である。【解決手段】本発明では、生分解性プラスチック製の綿で形成されたシート状体１を巻いて、その外径を支持容器内に装着させる外径とする際、隣接隙間の予め設定された位置に、予め設定された種類の植物の苗３ａ，３ｂ，３ｃを介装する植物のデザイン栽培方法や栽培キットを提案している。シート状体１は複数枚を重ねるように構成し、それらの隣接隙間に、複数種類の植物の苗を介装した状態で巻く構成においては、苗が所定位置からずれてしまうのを防止することができる。【選択図】図８
2011155946.tif 000002
【特許請求の範囲】
【請求項１】
生分解性プラスチック製の綿で形成されたシート状体を巻いて、その外径を支持容器内に装着させる外径とする際、巻かれるシート状体の隣接隙間に、予め設定された位置に、予め設定された種類の植物の苗を介装することを特徴とする植物のデザイン栽培方法。
【請求項２】
生分解性プラスチック製の綿で形成されたシート状体を、予め設定された枚数重ねるように構成し、それらの隣接隙間に、予め設定された位置に、予め設定された種類の植物の苗を介装し、しかる後、巻いて、その外径を支持容器内に装着させる外径とすることを特徴とする植物のデザイン栽培方法。
【請求項３】
シート状体には予め設定された位置を示す位置表示を形成したことを特徴とする請求項１又は２に記載の植物のデザイン栽培方法。
【請求項４】
シート状体には予め設定された位置を示す位置表示と、設定された植物の種類に対応する位置を区別するための区別表示を形成したことを特徴とする請求項１又は２に記載の植物のデザイン栽培方法。
【請求項５】
生分解性プラスチック製の綿で形成され、予め設定された位置を示す位置表示を形成したシート状体と、予め設定された位置に載置される複数種類の植物の苗とから、又はこれに栽培用の鉢や篭等の支持容器を加えて構成される植物のデザイン栽培キット。
【請求項６】
シート状体は重置する複数の枚数から構成したことを特徴とする請求項５に記載の植物のデザイン栽培キット。
【請求項７】
予め設定された位置を示す位置表示には、予め設定された植物に対応する位置を区別するための区別表示を形成したことを特徴とする請求項５に記載の植物のデザイン栽培キット。
【発明の詳細な説明】
【技術分野】
【０００１】
本発明は花や草木など植物のデザイン栽培方法及び植物のデザイン栽培キットに関するものである。
【背景技術】
【０００２】
花や草木を器に入れて飾り、その美しさを愛で、楽しむことは、古来から行われてきており、その技法は、日本では「いけばな」、欧米では「フラワーデザイン」として（以下、「フラワーデザイン」と総称する。）、芸術の一分野としても発展してきている。そして、一般の人が、より美しく花や草木を飾るために、フラワーデザインの技法を学ぶための各種のスクールやサークルが存在している。
【０００３】
このフラワーデザインにおいて、花や草木を、季節に応じて美しく飾るためには、花や草木の選択と、その配置が重要であり、これらにおいては、専門家ならではの能力が活きるものである。
【０００４】
従来、フラワーデザインでは、切り花を用いることが主に行われているが、より日持ちが良いものとして、開花状態や蕾の状態の多数又は複数の花や草木を、鉢や篭に詰め合わせて植え、そのまま栽培できるようにしたものも販売されている。
【０００５】
このように花や草木に対しての楽しみは、開花状態や蕾の状態の花を楽しむということばかりでなく、種子や苗の状態の花や草木を育てて、開花などをさせるという楽しみもある。
【０００６】
この場合、単一の花や草木はともかく、複数又は多数の花や草木を組み合わせて、種子や苗の状態から育てて開花させようとする場合には、開花状態における花や草木の形状や配色のバランスなどの意匠を優れたものとすることは一般の人には非常に困難である。
【０００７】
ところで近来、廃棄物問題を生じないプラスチックとして、生分解性のプラスチックスが注目されており、植物の生育用としても利用されている。例えば特許文献１には、レーヨン短繊維、ポリ乳酸系短繊維、脂肪族ポリエステル短繊維等の生分解性プラスチック繊維により構成された育苗用不織布が記載されている。またポリ乳酸系のプラスチック繊維として、例えばテラマック（登録商標）の不織布により構成された植樹用ポットや園芸シートが販売されている。
【０００８】
このように生分解性プラスチックは植物の生育用に広く使用されつつあるが、その使用形態は、上述したように、ポット状に形成したり、シート状に形成したりした使用形態であり、材質の置き換え程度に過ぎないとも云える。
【０００９】
一方、不織布やスポンジ体によるシート状体を巻いて植物の培地として利用することが、例えば特許文献２や特許文献３に示されるように従来から行われているが、これらも巻いたシート状体を単に培地として使用するもので、新たな付加価値を創出するものではない。
【先行技術文献】
【特許文献】
【００１０】
【特許文献１】特許第２９４０６０８号公報
【特許文献２】特開昭５８−９４３２１号公報
【特許文献３】特開２００１−２７５５０３号公報
【発明の開示】
【発明が解決しようとする課題】
【００１１】
本発明が解決しようとする課題は、複数又は多数の花や草木を組み合わせ、種子や苗の状態から育てて開花させようとした場合には、開花状態における花や草木の形状や配色のバランスなどの意匠を優れたものとすることは一般の人には非常に困難であるということである。
【００１２】
本発明では、このような課題を、生分解性プラスチック製の綿によるシート状体を用いて解決することを目的とするものである。
【課題を解決するための手段】
【００１３】
上述した課題を解決するために，本発明では、生分解性プラスチック製の綿で形成されたシート状体を巻いて、その外径を支持容器内に装着させる外径とする際、巻かれるシート状体の隣接隙間に、予め設定された位置に、予め設定された種類の植物の苗を介装することこととした植物のデザイン栽培方法を提案する。
【００１４】
また本発明では、生分解性プラスチック製の綿で形成されたシート状体を、予め設定された枚数重ねるように構成し、それらの隣接隙間に、予め設定された位置に、予め設定された種類の植物の苗を介装し、しかる後、巻いて、その外径を支持容器内に装着させる外径とすることとした植物のデザイン栽培方法を提案する。
【００１５】
また本発明では、上記の構成において、シート状体には予め設定された位置を示す位置表示を形成した植物のデザイン栽培方法を提案する。
【００１６】
また本発明では、上記の構成において、シート状体には予め設定された位置を示す位置表示と、設定された植物の種類に対応する位置を区別するための区別表示を形成した植物のデザイン栽培方法を提案する。
【００１７】
また本発明では、生分解性プラスチック製の綿で形成され、予め設定された位置を示す位置表示を形成したシート状体と、予め設定された位置に載置される複数種類の植物の苗とから、又はこれに栽培用の鉢や篭等の支持容器を加えて構成される植物のデザイン栽培キットを提案する。
【００１８】
また本発明では、上記の構成において、シート状体は重置する複数の枚数から構成した植物のデザイン栽培キットを提案する。
【００１９】
また本発明では、上記の構成において、予め設定された位置を示す位置表示には、予め設定された植物に対応する位置を区別するための区別表示を形成した植物のデザイン栽培キットを提案する。
【発明の効果】
【００２０】
本発明では、生分解性プラスチック製の綿で形成されたシート状体を巻いて、その外径を支持容器内に装着させる外径とし、これを支持容器内に装着して培地として植物を栽培することができる。
【００２１】
本発明に係る培地において栽培する植物は、それらの苗を巻かれるシート状体の隣接隙間に介装して移植するのであり、その際、予め設定された位置に、専門家により予め設定された種類の植物の苗を介装することで、複数の種類の植物の苗は、巻かれて形成された培地に、所定の位置関係で配置される。即ち、培地には、例えば開花時期、花の形状、色等に応じて専門家により選択された複数種類の植物が、設定された所定の位置関係で配置される。
【００２２】
このように、開花時期、花の形状、色等に応じて専門家により選択された複数種類の植物の苗が、設定された所定の位置関係で配置されて生育して開花するため、それらの苗が育って開花すると、専門家によって予め想定された意匠の優れた寄せ植えの状態となる。
【００２３】
こうして本発明では、生分解性プラスチック製の綿で形成されたシート状体を巻いて、その外径を支持容器内に装着させる外径とする際、巻かれるシート状体の隣接隙間に、予め設定された位置に、予め設定された種類の植物の苗を介装することで、意匠の優れた寄せ植えの鉢を構成することができ、また専門家のフラワーデザインの技能を体験することもできる。
【００２４】
シート状体を、予め設定された枚数重ねるように構成し、それらの隣接隙間に、予め設定された位置に、予め設定された種類の植物の苗を介装した状態で巻く方法では、巻く動作において苗が所定位置からずれてしまうのを防止することができる。
【００２５】
シート状体には予め設定された位置を示す位置表示や、設定された植物の種類に対応する位置を区別するための区別表示を予め形成しておくことにより、作業を確実に容易に行うことができる。
【００２６】
本発明では、生分解性プラスチック製の綿で形成され、予め設定された位置を示す位置表示を形成したシート状体と、予め設定された位置に載置される複数種類の植物の苗とから、又はこれに栽培用の鉢や篭等の支持容器を加えて植物のデザイン栽培キットを構成することができ、専門家が、植物の開花時期や、花の形状、色等に応じて特別に選択し、デザインした寄せ植えの鉢の栽培を一般人が手軽に行うことができる。
【図面の簡単な説明】
【００２７】
【図１】図１は本発明に係る植物のデザイン栽培方法の一局面を模式的に示す斜視図である。
【図２】図２は本発明に係る植物のデザイン栽培方法の他の局面を模式的に示す斜視図である。
【図３】図３は本発明に係る植物のデザイン栽培方法の更に他の局面を模式的に示す斜視図である。
【図４】図４は本発明に係る植物のデザイン栽培方法を行う栽培キットを構成するシート状体の一例を示す斜視図である。
【図５】図５は栽培キットによる植物のデザイン栽培方法の一局面を模式的に示す斜視図である。
【図６】図６は栽培キットによる植物のデザイン栽培方法の図５よりも進んだ局面を模式的に示す斜視図である。
【図７】図７は栽培キットによる植物のデザイン栽培方法の図６よりも進んだ局面を模式的に示す斜視図である。
【図８】図８は栽培キットによる植物のデザイン栽培方法の図７よりも進んだ局面を模式的に示す斜視図である。
【図９】図９は栽培キットによる植物のデザイン栽培方法の図８よりも進んだ局面を模式的に示す斜視図である。
【図１０】図１０は栽培キットによる植物のデザイン栽培方法の図９よりも進んだ局面を模式的に示す側面図である。
【図１１】図１１は栽培キットによる植物のデザイン栽培方法の図１０よりも進んだ局面を模式的に示す側面図である。
【図１２】図１２は本発明に係る植物のデザイン栽培方法を行う栽培キットを構成するシート状体の他例を示す斜視図である。
【発明を実施するための形態】
【００２８】
次に、本発明の実施の形態を添付の図１〜図１２を参照して説明する。
図において符号１は本発明に係るシート状体を概括的に示すものであり、このシート状体１は、上述したような生分解性プラスチック製の綿によりシート状に形成したものである。
【００２９】
図１〜図３は第１の実施の形態に係るもので、この実施の形態では、シート状体１は長尺の一枚の構成であり、長さ方向に沿った予め設定された位置２ａ，２ｂ，２ｃに、予め設定された種類の植物の苗３ａ，３ｂ，３ｃを載置し、この状態でシート状体１を端部から巻いて行くと、夫々の苗３ａ，３ｂ，３ｃは、巻かれたシート状体１の隣接隙間４に介装される。
【００３０】
こうしてシート状体１を鉢等の支持容器５内に装着させる外径となるまで巻き、これを支持容器４内に装着して培地として植物を栽培することができる。
【００３１】
本発明に係る培地において栽培する植物は、それらの苗３ａ，３ｂ，３ｃを、巻かれるシート状体１の隣接隙間４に介装して移植するのであり、その際、専門家により、予め設定された位置２ａ，２ｂ，２ｃに、予め設定された種類の植物の苗３ａ，３ｂ，３ｃを介装することで、複数の種類の植物の苗は、巻かれて形成された培地に、所定の位置関係で配置される。即ち、培地には、例えば開花時期、花の形状、色等に応じて専門家により選択された複数種類の植物が、設定された所定の位置関係で配置される。
【００３２】
このように、開花時期、花の形状、色等に応じて専門家により選択された複数種類の植物の苗３ａ，３ｂ，３ｃが、設定された所定の位置関係で配置されて生育して開花するため、それらの苗３ａ，３ｂ，３ｃが育って開花すると、専門家によって予め想定された意匠の優れた寄せ植えの状態となる。
【００３３】
こうして本発明では、一般の人でも、意匠の優れた寄せ植えの鉢を構成することができ、専門家のフラワーデザインの技能を体験することもできる。
【００３４】
本発明では、上述したシート状体１と、予め設定された位置に載置される複数種類の植物の適数の苗３ａ，３ｂ，３ｃとから、又はこれに栽培用の鉢や篭等の支持容器を加えて植物のデザイン栽培キットを構成することができ、これにより専門家が、植物の開花時期や、花の形状、色等に応じて特別に選択し、デザインした寄せ植えの鉢の栽培を一般人が手軽に行うことができる。
【００３５】
次に図６〜図１１は本発明の第２の実施の形態に係るものであり、第１の実施の形態の構成要素と同様な構成要素には同一の符号を付している。
この実施の形態では、シート状体１は、複数の枚数から構成しており、夫々には、予め設定された位置を示す位置表示６ａ，６ｂ，６ｃと、予め設定された植物に対応する位置を区別するための区別表示７ａ，７ｂ，７ｃを形成している。この実施の形態では、位置表示６ａ，６ｂ，６ｃは直線で、また区別表示７ａ，７ｂ，７ｃはアルファベットとして表しているが、区別表示７ａ，７ｂ，７ｃは位置表示と兼用することができるし、夫々の表示の仕方は適宜である。
【００３６】
この実施の形態では、図４に示すようにまず１枚目のシート状体１ａを敷き、次いで図５に示すように、シート状体１ａの所定位置、この場合、位置表示６ａで表示される位置２ａに、区別表示７ａの「Ａ」に対応する種類の苗３ａを載置する。この実施の形態では、同じ種類の苗を複数の個所に載置するようになっており、図では左右２個所に載置している。
【００３７】
次いで図６に示すように苗３ａを載置したシート状体１ａの上にシート状体１ｂを敷き、次いで図７に示すように、シート状体１ｂの所定位置、この場合、位置表示６ｂで表示される位置２ｂに、区別表示７ｂの「Ｂ」に対応する種類の苗３ｂを載置する。
【００３８】
次いで図８に示すように苗３ａを載置したシート状体１ｂの上にシート状体１ｃを敷いて、シート状体１ｃの所定位置、この場合、位置表示６ｃで表示される位置２ｃに、区別表示７ｃの「Ｃ」に対応する種類の苗３ｃを載置する。
【００３９】
次いで図９に示すようにシート状体１ｃの上にシート状体１ｄを敷き、この状態で図１０に示すように積層状態のシート状体１ａ，１ｂ，１ｃ，１ｄを巻いて行き、図１１に示すように全てが巻かれた後、図３と同様に鉢等の支持容器（図示省略）に装着して、所定の移植作業が完了する。この実施の形態において最後のシート状体１ｄの上には苗を載置しないので、図に示すように、このシート状体１ｄには、位置表示や区別表示をする必要はない。
【００４０】
この実施の形態では、シート状体１を、４枚（１ａ，１ｂ，１ｃ，１ｄ）重ねるように構成し、それらの隣接隙間に、複数種類の植物の苗３ａ，３ｂ，３ｃを介装した状態で巻くため、巻く動作において苗３ａ，３ｂ，３ｃが所定位置からずれてしまうのを防止することができる。
【００４１】
そしてシート状体１ａ，１ｂ，１ｃには予め設定された位置を示す位置表示６ａ，６ｂ，６ｃや、設定された植物の種類に対応する位置を区別するための区別表示７ａ，７ｂ，７ｃを予め形成しておくことにより、作業を確実に容易に行うことができる。
【００４２】
このため、本発明では、生分解性プラスチック製の綿で形成され、予め設定された位置を示す位置表示を形成したシート状体１の適数と、予め設定された位置に載置される複数種類の植物の苗３ａ，３ｂ，３ｃとから、又はこれに栽培用の鉢や篭等の支持容器を加えて植物のデザイン栽培キットを構成することができ、専門家が、植物の開花時期や、花の形状、色等に応じて特別に選択し、デザインした寄せ植えの鉢の栽培を一般人が手軽に行うことができる。
【００４３】
次に図１２はシート状体１における区別表示７ａ，７ｂ，７ｃの他例を示すもので、この例では、区別表示７ａ，７ｂ，７ｃは自然数として表している。
このような区別表示７ａ，７ｂ，７ｃにおいては、自然数と植物の種類との対応関係を、デザイン栽培キットの取扱説明書に記載しておけば、この記載により誤りなく対応関係を得ることができる。
【００４４】
尚、本発明に係るシート状体１を構成する生分解性プラスチックとしては、バイオマス由来のバイオプラスチックの他、場合によっては、石油由来の生分解性プラスチックを用いることもできる。
【符号の説明】
【００４５】
１                      シート状体
１ａ，１ｂ，１ｃ，１ｄ  シート状体
２ａ，２ｂ，２ｃ        設定位置
３ａ，３ｂ，３ｃ        植物の苗（異なった種類）
４                      隣接隙間
５                      支持容器
６ａ，６ｂ，６ｃ        位置表示
７ａ，７ｂ，７ｃ        区別表示
【図１】
2011155946.tif 000003
【図２】
2011155946.tif 000004
【図３】
2011155946.tif 000005
【図４】
2011155946.tif 000006
【図５】
2011155946.tif 000007
【図６】
2011155946.tif 000008
【図７】
2011155946.tif 000009
【図８】
2011155946.tif 000010
【図９】
2011155946.tif 000011
【図１０】
2011155946.tif 000012
【図１１】
2011155946.tif 000013
【図１２】
2011155946.tif 000014